(57)【要約】【課題】遊技盤の持ち運びを容易にする。【解決手段】遊技盤ユニット１１は、遊技盤１８と、遊技領域を画定するレール枠１９と、裏機構板２８とを備えている。遊技盤１８には、複数の貫通穴３３が設けられている。レール枠１９に設けられたラッチ部材３２は、貫通穴３３を介して裏機構板２８に設けられた嵌合部３４に挿通される。遊技盤１８は、レール枠１９と裏機構板２８に挟まれ、一体に固定される。裏機構板２８は、遊技盤１８の開口部１８ａの周りを囲む略四角形のフレーム状に形成されている。裏機構板２８の上部の一辺は、遊技盤ユニット１１を持ち運ぶ際に把持されるグリップ部４３として一体形成されている。【選択図】        図９
2007007070.tif 000002
【特許請求の範囲】
【請求項１】
遊技球を入賞口に入賞させる遊技を行うための遊技領域が前面側に形成され、画像表示装置を取り付けるための開口部が設けられた遊技盤と、前記入賞口に入った遊技球を外部に出すための通路を有し、前記遊技盤の背面に取り付けられる裏機構板とを備えた遊技機において、
前記裏機構板は、前記開口部の周りを囲むフレーム状に形成され、
前記遊技盤に設けられた取付け穴に嵌合し、前記遊技盤の表面と平行な方向の力を受ける嵌合部を有し、
その上部には把持するためのグリップ部が一体形成されていることを特徴とする遊技機。
【請求項２】
前記グリップ部は、箱状に形成され、把持された際の変形を抑える補強リブを有していることを特徴とする請求項１記載の遊技機。
【請求項３】
前記遊技盤には、前記遊技領域を画定するレール枠が取り付けられ、
前記レール枠には、前記取付け穴に嵌合した前記裏機構板の嵌合部に挿通可能な位置と、前記嵌合部から抜き取り不能な位置とに変位する変位部材が設けられており、
前記変位部材を前記嵌合部に挿通し、前記抜き取り不能な位置に変位させることにより前記レール枠と前記裏機構板とが前記遊技盤に固定されることを特徴とする請求項１又は２記載の遊技機。
【発明の詳細な説明】
【技術分野】
【０００１】
本発明は、入賞口に入った遊技球を外部に出すための通路を有する裏機構板が遊技盤の背面に取り付けられた遊技機に関する。
【背景技術】
【０００２】
パチンコ遊技機は、入賞口及びアウト口が設けられた遊技盤に向かって遊技球を打ち出して遊技を行う。遊技球は、遊技盤の盤面上を落下し、入賞口又はアウト口のいずれかに入る。遊技球が入賞口に入ると入賞となり、所定個数の遊技球を賞球として獲得できる。遊技球がアウト口に入った場合には賞球の払い出しは行われず、遊技に使用できる遊技球が減少する。遊技盤の前面には、遊技球の経路を変える障害釘や、入賞口に遊技球を入賞しやすくする入賞装置等が設けられた遊技領域が形成されている。遊技盤の背面には、入賞口に入った遊技球を集め、遊技球を所定の位置から落下させるための集合樋を有する裏機構板や入賞装置等の制御を行う回路基板が取り付けられている。
【０００３】
遊技盤は、板材自体の重さに加え、入賞装置や回路基板等がユニット化して設けられるため、その重量はかなり大きい。従来では、パチンコ遊技機の製造工程で作業者が遊技盤を持ち運ぶ際、遊技盤の左右側部又は上下端部の外郭部を両手で把持している。このため、作業者が遊技盤を把持する位置を誤り、遊技領域が形成された遊技盤の前面部に手が触れてしまうと、遊技盤を把持する力で遊技盤を構成する部品を変形させることや、指先等にケガを負うことがあった。このため、作業者が遊技盤を把持しやすいように取っ手を設けることが提案されている（例えば特許文献１参照）。
【特許文献１】特開平９−２６２３５２号公報
【発明の開示】
【発明が解決しようとする課題】
【０００４】
しかしながら、近年のパチンコ遊技機は、遊技盤の後部に取り付けられる回路基板を収納した回路基板ボックスや液晶表示装置などの重量が大きくなり、遊技盤の重心が板材の中心部よりも後方に位置するものが多くなっている。このため、遊技盤の前面に取っ手が位置していると、持ち上げた遊技盤の下端部が遊技盤の前面側に大きく傾き、バランスが悪く、持ち運びにくいという欠点がある。従来のように、遊技球の発射時に遊技球を遊技領域までガイドする金属レールがその側端縁を割りピン等で固定して立設された遊技盤は、剥き出しになっている金属レールを手で掴み、手にケガを負うことや、金属レールを変形させてしまい遊技球の発射精度に影響を及ぼすことがあった。さらに、大画面の液晶表示装置等が設けられた遊技盤のように、その重量が大きい遊技盤を持ち運ぶためには、遊技盤に高い強度で取り付けられる取っ手が必要となる。また、遊技制御の複雑化により、遊技盤裏面に設けられるる構成部等が増加して把持できるスペースが減少してきているという事情がある。
【０００５】
本発明は、上記問題点を考慮してなされたもので、重量の大きい遊技盤を容易に持ち運ぶことができ、高い強度で取り付けられる邪魔とならない取っ手を備える遊技機を提供することを目的とする。
【課題を解決するための手段】
【０００６】
上記目的を達成するために、本発明は、遊技球を入賞口に入賞させる遊技を行うための遊技領域が前面側に形成され、画像表示装置を取り付けるための開口部が設けられた遊技盤と、前記入賞口に入った遊技球を外部に出すための通路を有し、前記遊技盤の背面に取り付けられる裏機構板とを備えた遊技機において、前記裏機構板は、前記遊技盤の開口部の周りを囲むフレーム状に形成されていること、前記遊技盤に設けられた取付け穴に嵌合し、前記遊技盤の表面に平行な方向の力を受ける嵌合部が設けられていること、把持するためのグリップ部が上部に一体形成されていることを特徴とする。グリップ部が遊技盤上部の一辺と略同等に延び、その下部に指を差し込める空間を設けてあるから、遊技盤の裏面であってもグリップ部の位置を直ぐに把握でき、把持する際に他の部品との接触によるケガの危険の防止を図ることができる
【０００７】
前記グリップ部は、箱状に形成され、把持された際の変形を抑える補強リブを有していることを特徴とする。
【０００８】
前記遊技盤には、前記遊技領域を画定するレール枠が取り付けられ、前記レール枠には、前記取付け穴に嵌合した前記裏機構板の嵌合部に挿通可能な位置と、前記嵌合部から抜き取り不能な位置とに変位する変位部材が設けられており、前記変位部材を前記嵌合部に挿通し、前記抜き取り不能な位置に変位させることにより前記レール枠と前記裏機構板とが前記遊技盤に固定されることを特徴とする。
【発明の効果】
【０００９】
本発明の遊技機によれば、遊技盤の背面に取り付けられる裏機構板を、画像表示装置を取り付けるために設けられた遊技盤の開口部の周りを囲むフレーム状に形成し、その上部に、遊技盤を持ち運ぶ際に把持されるグリップ部を設けているから、特別な部品を後付けする必要がなく、且つ、遊技盤の他の構成部品の配置の邪魔をしない。また、回路基板ボックスの重量によって重心が後方に位置する遊技盤であっても、持ち上げた際の遊技盤の傾きが小さくなり、容易に持ち運びできる。また、遊技盤に重量の大きい回路基板ボックス等が設けられた場合でも、裏機構板を遊技盤に十分な強度で取り付けることで、遊技盤の重量を支えることの可能なグリップ部を設けることができる。また、裏機構板を遊技盤に高い強度で取り付けるために、遊技盤に設けられた取付け穴に嵌合し、遊技盤の表面と平行な面方向の力を受ける嵌合部を設けているから、遊技盤を持ち上げた時の遊技盤の重量、遊技盤を遊技機に組み込んだ際の裏機構板の重量を嵌合部に受けさせ、裏機構板のみを把持して持ち上げた際にその重みによって遊技盤から裏機構板が外れること又は遊技盤が破損することを防止できる。また、嵌合部によって裏機構板を遊技盤に取り付ける際の位置決めが容易になる。遊技盤にネジ穴を設け、裏機構板をネジ止めのみにより遊技盤に固定した場合と比べ、裏機構板の重さによってネジ穴が広がることを防ぐためにネジ止め箇所を多く設けることを防止でき、遊技盤の製造工程が簡単になり、コストの削減化を図れる。
【００１０】
また、グリップ部を箱状に形成することで、裏機構板を形成するために使用する材料を少なくし、把持しやすい大きさにすることができる。また、箱状のグリップ体の強度不足を補うために補強リブを設け、グリップ部の歪みや変形等を抑えているから、遊技盤の重量が大きい場合でも遊技盤の持ち運びに支障が生じることがない。
【００１１】
遊技盤の前面に、遊技領域を画定するレール枠を設け、このレール枠に裏機構板の嵌合部に挿通可能な位置と、抜き取り不能な位置とに変位する変位部材を設けているから、レール枠と裏機構板とによって遊技盤が挟持され、レール枠、遊技盤、裏機構板を一体に固定することができる。変位部材がレール枠と裏機構板とを遊技盤の厚み方向に押さえ、裏機構板の嵌合部が遊技盤の重量を支えるから、遊技盤を遊技機に組み込んだ状態では変位部材に過度の力がかからず、裏機構板と遊技盤の間にガタが発生しにくい。よって、裏機構板が遊技盤に安定して保持される。また、レール枠と遊技盤、裏機構板をネジレスで容易に分解することができ、レール枠，裏機構板の再利用が容易になる。また、再利用のできないレール枠，遊技盤，裏機構板を廃棄する際には、材質の違いによる分別処理が容易に行える。
【発明を実施するための最良の形態】
【００１２】
図１において、パチンコ遊技機（遊技機）１０は、遊技盤ユニット１１と、遊技盤ユニット１１が着脱自在に取り付けられる本体枠１２とを備えている。本体枠１２には、遊技盤ユニット１１の前面を覆うガラス扉１３が回動自在に設けられている。本体枠１２の下部には、遊技球を打ち出す発射装置に遊技球を供給する供給皿１４と、遊技球を打ち出す強さを調節する際に操作されるハンドル１５とが設けられている。
【００１３】
図２において、遊技盤ユニット１１は、合板からなる遊技盤１８と、遊技盤１８の前面に取り付けられたレール枠１９を備えている。遊技盤１８には、その前面に複数の入賞口が設けられた遊技領域１８ａが形成されている。遊技領域１８ａには、遊技球が落下する際の経路を変化させる障害釘、風車等が設けられている。また、遊技領域１８ａには、始動入賞口２０、通常入賞口２１、通過口２２、アウト口２３が設けられている。始動入賞口２０とアウト口２３の間には、アタッカ装置２４が設けられている。アタッカ装置２４は、水平方向の軸を有する開閉板２４ａを備えている。開閉板２４ａは、開放時にアウト口２３に向かって落下する遊技球を受け、アタッカ装置２４に遊技球を入賞させる。
【００１４】
始動入賞口２０、通常入賞口２１、アタッカ装置２４に遊技球が入ると入賞となり、それぞれ決められた個数の遊技球が賞球として供給皿１４に払い出される。アウト口２３に遊技球が入った場合は賞球の払い出しは行われず、遊技に使用できる遊技球が減少する。始動入賞口２０に遊技球が入ると、賞球の払い出しと、大当たりを決めるための電子抽選を利用した大当たり抽選が行われる。この大当たり抽選に当選するとアタッカ装置２４が作動し、打ち出した遊技球をアタッカ装置２４に入賞させ易くするので、多数の賞球を得ることができる。
【００１５】
遊技領域１８ａのほぼ中央部には、液晶表示装置（画像表示装置）２５が設けられている。液晶表示装置２５は、始動入賞口２０に遊技球が入賞した際に行われる大当たり抽選の結果を図柄の揃い方により表示する。例えば、３つの同じ図柄が一列に揃うと大当たりとなり、これ以外の図柄の並び方ではハズレとなる。遊技盤１８には、液晶表示装置２５の周囲を覆うセンター役物２６が取り付けられている。センター役物２６は、遊技球が液晶表示装置２５の画面の前方を落下しないようにすることで、大当たり抽選の結果を示す図柄が見づらくなることを防止する。また、センター役物２６には、始動入賞口２０に遊技球を入賞しやすくするためのステージ２６ａが形成されている。ステージ２６ａは、センター役物２６の上部又は側部に設けられた導入口から導入された遊技球を左右に転がした後に落下させるための傾斜した曲面からなり、ステージ２６ａを転がった遊技球が中央部の溝の位置で停止すると、この遊技球はその真下に位置する始動入賞口２０に高い割合で入賞するように落下する。
【００１６】
図３において、遊技盤ユニット１１は、遊技盤１８とレール枠１９と裏機構板２８とから構成されている。裏機構板２８は、遊技盤１８の背面に取り付けられる。裏機構板２８は、液晶表示装置２５とその駆動回路用基板等が収納される液晶収納箱３０と、入賞の検知及び賞球の払い出し等を管理する制御回路基板等が収納される制御基板収納箱３１が取り付けられる。遊技盤１８に設けられた開口部１８ｂにはセンター役物２６が取り付けられ、センター役物２６の後部に液晶表示装置２５が配設される。裏機構板２８は、遊技盤１８の開口部１８ｂの周りを囲んで空間を形成する略四角形のフレーム状に形成されている。液晶収納箱３０は、裏機構板２８の枠の空間内に取り付けられ、制御基板収納箱３１は、裏機構板２８の空間外に取り付けられる。
【００１７】
レール枠１９には、その上部の左右の位置と下部の左右の位置の４ヶ所にそれぞれ複数のラッチ部材（変位部材）３２が設けられている。遊技盤１８には、ラッチ部材３２の位置に対応して、ラッチ部材３２のツマミとなる部分が嵌合する貫通穴（取付け穴）３３が遊技領域１８ａの外部の４ヶ所に設けられている。裏機構板２８の上部と下部のそれぞれの左右位置の４ヶ所には、貫通穴３３の位置に対応して、貫通穴３３に嵌合する嵌合部３４が設けられている。
【００１８】
図４において、ラッチ部材３２は、遊技盤１８の貫通穴３３に嵌合させる挿入部となる円柱部３５と、ツマミとなる略直方体形状の回動部３６を備えている。回動部３６は、円柱部３５に対して回動自在であり、水平位置又は垂直位置に変位した状態で安定する。裏機構板２８の嵌合部３４は、遊技盤１８の前面方向に向かって円筒状に突出して形成されている。嵌合部３４には、突出した先端の底面３４ａにラッチ部材３２の回動部３６が挿通される挿通穴３４ｂが設けられている。挿通穴３４ｂは、回動部３６の形状に合わせて水平方向に長い長方形状をしている。
【００１９】
図５において、回動部３６が水平位置に保たれた状態のラッチ部材３２を遊技盤１８の前面方向から、嵌合部３４を遊技盤１８の裏面方向から貫通穴３３に嵌合すると、回動部３６が挿通穴３４ｂに挿通される。回動部３６を挿通穴３４ｂに挿通した後に回動部３６を回し、回動部３６を垂直位置に変位させると、回動部３６が挿通穴３４ｂの周囲部分に引っ掛かり、ラッチ部材３２及び嵌合部３４を遊技盤１８の貫通穴３３から抜き取ることが不可能となる。図６に示すように、遊技盤１８の前面と背面に、レール枠１９及び裏機構板２８がそれぞれ密着し、遊技盤１８にレール枠１９及び裏機構板２８が固定される。すなわち、３つの部材が遊技盤ユニット１１として一体化される。
【００２０】
図７において、裏機構板２８の四角い空間の外となる下部には、始動入賞口２０及び通常入賞口２１に入った遊技球を、遊技盤１８に設けた貫通孔を介して、遊技盤１８の裏面側の所定の落下範囲に集合させる集合樋４０が設けられている。遊技球を誘導する誘導リブ４１は、遊技盤１８の裏面と接し、遊技球の通路となる空間を形成する。集合樋４０は、各入賞口に入った遊技球をアウト口２３の近傍に集合させる。各入賞口に入った遊技球、アウト口２３に入った遊技球、アタッカ装置２４に入った遊技球は、アウト口２３の下方に落下し、パチンコ遊技機１０の外部に設けられた回収装置（図示なし）によって回収される。
【００２１】
図８において、裏機構板２８の上部には、遊技盤１８の後方に向かって突出する補強リブ４２及び補強リブ４２の外周を囲む箱体とを有するグリップ部４３が設けられている。グリップ部４３は、空洞部にハニカム形状のリブを備える構造としている。グリップ部４３は、把持する際に指先が遊技盤１８と接触し、握りづらくならないように奥行き方向の寸法が決められている。
【００２２】
図９において、グリップ部４３と液晶収納箱３０との間には、遊技盤ユニット１１を持ち上げる際に指を差し込むための隙間が形成される。グリップ部４３の底面及び正面に指先及び掌を押し当て、裏機構板２８を持ち上げることにより、裏機構板２８に固定された遊技盤１８，レール枠１９，液晶収納箱３０等が共に持ち上がる。グリップ部４３は、補強リブ４２によりその剛性が高められているため、遊技盤ユニット１１の重量によって変形することはほとんどない。遊技盤ユニット１１を持ち上げた際、遊技盤１８及びレール枠１９の重量は、主に裏機構板２８の嵌合部３４にかかり、ラッチ部材３２には重力方向の力は小さな力しか掛からない。グリップ部が遊技盤上部の一辺と略同等に延び、その下部に指を差し込める空間を設けてあるから、遊技盤の裏面であってもグリップ部の位置を直ぐに把握でき、把持する際に他の部品との接触によるケガの危険の防止を図ることができる
【００２３】
以上のように、パチンコ遊技機１０について説明したが、本発明は、上記実施形態に限られず、適宜の変更が可能である。例えば、裏機構板２８に設けられた嵌合部３４にレール枠１９のラッチ部材３２を挿通させ、レール枠１９と裏機構板２８により遊技盤１８を挟み込む構造にすることに限らず、レール枠１９と裏機構板２８を遊技盤１８の前面と背面にネジ止め等により直接取り付ける場合には、裏機構板２８の嵌合部を遊技盤１８に設けた取付け穴に嵌合させることでネジ止め箇所を減らすことができる。取付け穴は、遊技盤１８の前面と背面に貫通した穴にしなければ、遊技領域１８ａの外部のみならず、遊技領域１８ａの裏側の位置に任意数だけ設けることができる。
【図面の簡単な説明】
【００２４】
【図１】本体枠と遊技盤ユニットを分離した状態の斜視図である。
【図２】遊技盤ユニットの斜視図である。
【図３】遊技盤ユニットの背面側の分解斜視図である。
【図４】ラッチ部材と嵌合部の斜視図である。
【図５】ラッチ部材を嵌合部に挿通した状態を示す正面図である。
【図６】遊技盤の貫通穴にラッチ部材と嵌合部を嵌合した状態の断面図である。
【図７】集合樋の正面図である。
【図８】グリップ部の斜視図である。
【図９】遊技盤ユニットを持ち上げた様子を示す説明図である。
【符号の説明】
【００２５】
１０  パチンコ遊技機（遊技機）
１１  遊技盤ユニット
１２  本体枠
１８  遊技盤
１８ａ  遊技領域
１８ｂ  開口部
１９  レール枠
２５  液晶表示装置（画像表示装置）
２８  裏機構板
３０  液晶収納箱
３１  制御基板収納箱
３２  ラッチ部材（変位部材）
３３  貫通穴（取付け穴）
３４  嵌合部
３４ｂ  挿通穴
３６  回動部
４０  集合樋
４２  補強リブ
４３  グリップ部
【図１】
2007007070.tif 000003
【図２】
2007007070.tif 000004
【図３】
2007007070.tif 000005
【図４】
2007007070.tif 000006
【図５】
2007007070.tif 000007
【図６】
2007007070.tif 000008
【図７】
2007007070.tif 000009
【図８】
2007007070.tif 000010
【図９】
2007007070.tif 000011